(57)【要約】      （修正有）【課題】物体に対し解放可能に取り付けることができ、物体による荷重をヒンジが受けることのない回転ハンドルの技術を提供する。【解決手段】管状の物体に取り付け可能な回転可能なハンドル１０は、ユーザの手を受け入れるように構成された手の通路１６に外接する補助ハンドル１２を有する。係合位置に付勢されたクラッチは、物体に取り付け可能なフック１４の上端から延びるシャンクを、補助ハンドル１２の一部として一体形成されたカラーに動作可能に連結し、シャンクがカラーに対して回転することを防止する。フック１４の上端のラチェットは、フック１４の下端に取り付けられ、ラチェットに向かって延在し、シャンクの縦軸に直交する横軸の周りに回転可能であるピボットアーム７０上の爪７６と協働して、その内側に物体を受容して解放可能に保持する物体通路３２のサイズを調節する。【選択図】図１
2017137194.tif 000002
【特許請求の範囲】
【請求項１】
物体に取り付け可能であって使用者の手によって把持することのできる回転ハンドルアセンブリであって、
前記使用者の手を受け入れるように構成された通路を取り巻く補助ハンドルと、
前記補助ハンドルの一部として一体に形成されたカラーと、
上端および下端を有し、前記物体に取り付け可能なフックと、
前記フックの前記上端と一体に形成されて前記上端から延在し、縦軸を有するシャンクと、
前記シャンクを前記カラーに対し動作可能に連結し、係合位置にあるときに前記シャンクを前記縦軸に沿って前記カラーに対し並進移動のみ可能とし、非係合位置にあるときに前記シャンクを前記カラーに対して前記縦軸を中心に回転するように移動可能とし、前記係合位置に付勢されたクラッチと、
前記フックの前記上端に設けられたラチェットと、
前記フックの下端に取り付けられ、前記ラチェットに向かうように延在し、前記縦軸に直交する横軸を中心に回転可能に設けられたピボットアームと、
前記ピボットアームに回転可能に取り付けられ、前記ピボットアームに対し、自らの自由端が前記ラチェットと係合して前記ピボットアームの回転が妨げられる第１の爪位置から前記自由端が前記ラチェットから外れた第２の爪位置に至るまで相対的にスライド可能であり、前記第１の爪位置に付勢された爪と
を備えた回転ハンドルアセンブリ。
【請求項２】
前記クラッチは前記カラーに設けられたクラッチリングを有し、
前記クラッチリングは、前記シャンクの一部が内側に配置されるクラッチリングボアを含む
請求項１記載の回転ハンドルアセンブリ。
【請求項３】
前記カラーは、自らを貫通するカラーボアを有し、
前記カラーボアは、縦に延伸されたキー溝を有し、
前記クラッチリングは、径方向外側に突出して前記キー溝と嵌合することで、前記カラーに対する前記クラッチリングの回転を妨げるキーを有する
請求項２記載の回転ハンドルアセンブリ。
【請求項４】
前記シャンクの前記自由端と一体的に形成され、前記シャンクから径方向外側に広がるフランジ面を有するフランジをさらに備え、
前記クラッチリングは、前記クラッチが係合位置にあるとき前記フランジ面に対向して摩擦係合する環状クラッチリング面を有する
請求項２記載の回転ハンドルアセンブリ。
【請求項５】
前記カラーは自らを貫通するカラーボアを有し、
前記カラーボアは、縦に延伸されたキー溝を有し、
前記クラッチリングは、前記カラーの内側に設けられ、前記カラーボアの前記キー溝に嵌合するように径方向外側に突出し、前記カラーに対する前記クラッチリングの回転を妨げるキーと、環状クラッチリング面と、前記シャンクの一部が内側に配置されるクラッチリングボアとを有し、
前記シャンクの前記自由端と一体的に形成され、前記シャンクから径方向外側に広がるフランジ面を有するフランジをさらに備え、
前記フランジ面は、前記クラッチが前記係合位置にあるときに前記環状クラッチリング面に対向して摩擦係合する
請求項１記載の回転ハンドルアセンブリ。
【請求項６】
前記フランジ面は、自らを基点として広がる複数のフランジ歯を有し、
前記クラッチリング面は、前記クラッチが前記係合位置にあるときに前記複数のフランジ歯に係合する複数のクラッチリング歯を有する
請求項５記載の回転ハンドルアセンブリ。
【請求項７】
前記クラッチを前記係合位置に付勢する波形ワッシャをさらに備えた
請求項１記載の回転ハンドルアセンブリ。
【請求項８】
前記フックと前記ピボットアームとによって規定される物体通路の断面積が調整可能である
請求項１記載の回転ハンドルアセンブリ。
【請求項９】
前記フックの前記内面は、円弧部分と直線部分とを有する
請求項１記載の回転ハンドルアセンブリ。
【請求項１０】
前記フックの前記上端は円弧状の内面部を有し、
前記ラチェットは、複数のラチェット歯によって前記上端の上に一体的に形成されている
請求項１記載の回転ハンドルアセンブリ。
【請求項１１】
前記爪の前記自由端の少なくとも1つの爪歯が前記複数のラチェット歯のうちの１つの前記ラチェット歯と係合して前記ピボットアームの回転を妨げる
請求項１０記載の回転ハンドルアセンブリ。
【請求項１２】
１以上のコンプライアントパッドが、前記フックの内面または前記ピボットアームの内面に取り付けられている
請求項１記載の回転ハンドルアセンブリ。
【請求項１３】
コンプライアントな人間工学的グリップが、前記補助ハンドルの、前記カラーの反対側の内側部分に取り付けられている
請求項１記載の回転ハンドルアセンブリ。
【発明の詳細な説明】
【技術分野】
【０００１】
本発明は、概して、物体に対して取り外し可能であって持ち運び可能なハンドルに関し、特に管状断面形状を有する物体に対して取り外し可能なものに関する。そのような物体は、車用のチャイルドシートもしくはその他のシートまたは運搬器具（キャリア）のハンドルの一部、または、水平方向に伸びる体操用のバーのような運動器具の代用品の一部である。
【背景技術】
【０００２】
従来の車用の、もしくはその他のシートは、乳児や幼児などの小さな子供を安全かつ容易に搬送するためのものとして知られている。子供が成長するにつれ、大人などの他の人間がそのようなカーシートもしくはその他のシート、または運搬器具をそのハンドルによって持ち上げたり動かしたりすることは、厄介でありおよび/または困難であり得る。
【０００３】
例えば、ハンドルの向きは、シートを運ぶ人間の手のひらが前向きの状態（移動方向に向いた状態）または後ろ向き（移動方向とは反対の方向に向いた状態）になければならないことが多い。しかしながら、比較的重量の大きなものを運ぶ際、手のひらを前向きや後ろ向きとすることが多くの人にとって人間工学的に常に自然であるとは限らない。その代わりに、手のひらを内側に向けた姿勢（例えば移動方向に対して約９０°傾けた姿勢）がしばしばより自然である。典型的なカーシートの長さを考えると、運搬車の手のひらを内側に向けてカーシートを運ぶことは困難なことがある。なぜなら、しばしばカーシートがその運搬者自身に（例えば足に）ぶつかるからである。
【０００４】
米国特許８，６７１，５２３Ｂ１において本出願人（Day）は、物体のハンドルの少なくとも一部に対して取り外し可能であって持ち運び可能な運搬器具を開示している。その運搬器具は、ハンドルと基体とを有する第１の筐体を含んでいる。第１の筐体のハンドルは、第１の筐体の基体に対し第１の軸の周りで回転可能である。第１の筐体の基体に対し、第２の筐体がヒンジによって第２の軸の周りで回転可能に取り付けられている。第２の軸は、第１の軸に対してほぼ直交する方向に伸びている。運搬器具は、開いた形態と閉じた形態との間で変化するようになっている。開いた形態とは、物体（運ぶ対象物）のハンドルの少なくとも一部を受け止めるために、第１の筐体の基部の少なくとも一部が第２の筐体から少なくとも部分的に分離された形態である。閉じた形態とは、第１の筐体の基部の少なくとも一部と第２の筐体とが、それらの間に物体のハンドルを取り巻くように結合した形態をいう。第１の筐体の基部に設けられた締結部材と第２の筐体とは、閉じた形態において第２の筐体に対して第１の筐体の基部がロックされるように、ヒンジとほぼ反対側に配置される。物体のハンドルによって付与される荷重は、ヒンジと締結部材との間において均一に分配される。
【０００５】
米国特許出願第２０１１／０１７３７７８Ａ１（Wales）は、道具や器具のシャフトに取り付けるための補助ハンドルを開示している。その補助ハンドルは、ハンドル部分と、基部と、取り付け部分とを有している。ハンドル部分は本体とグリップとを有している。本体は基部に対し回転可能かつ摺動可能に設けられ、種々の位置および/または向きに調節されてもよい。基部は取り付け部分に対し回転可能に接続されている。取り付け部分は、第１のジョー（jaw）と、その第１のジョーに対して自在ヒンジによって回転可能に取り付けられた第２のジョーとを有している。自在ヒンジはアジャスタを有している。アジャスタは、道具のシャフトの周囲に、第１のジョーの内面および第２のジョーの内面を解放可能に締め付けるものである。第１のジョーの内面と第２のジョーの内面との間の空間は、その道具のシャフトを受け入れるための通路を形成する。本出願人（Day）の開示した運搬器具と同様に、Walesが開示する上記補助ハンドルに対し道具のシャフトによって付与される荷重は、２つのジョーに対して均等に分配され、ヒンジを介して補助ハンドルに伝達される。
【０００６】
したがって、物体に対し解放可能に取り付けることができ、その物体による荷重をヒンジが受けることのない回転ハンドルの技術が必要とされている。
【発明の概要】
【発明が解決しようとする課題】
【０００７】
簡単に述べると、本発明の一実施形態は、物体に取り付け可能であり、使用者の手によって把持可能である回転可能なハンドルアセンブリを対象とするものである。その回転可能なハンドルアセンブリは、使用者の手が受け入れられるように構成された隙間を取り巻く補助ハンドルを有している。補助ハンドルの一部として、カラー（collar）が一体的に形成されている。フックは、上端および下端を含み、対象とする物体に取り外し可能となっている。フックの上端から延伸するようにシャンク（shank）が一体に形成されている。そのシャンクは長手方向に伸びる軸（縦軸）を有する。クラッチは、シャンクを環状部分に対し動作可能に結合している。クラッチが係合位置にあるとき、シャンクは環状部分に対し相対的に動作可能であり、縦軸に沿ってのみ平行移動する。クラッチが非係合位置にあるとき、シャンクは環状部分に対し縦軸周りに相対的に回転可能である。クラッチは係合位置に付勢されている。フックの上端にはラチェットが設けられている。ピボットアームがフックの下端に取り付けられている。ピボットアームはラチェットに向かうように延在しており、シャンクの縦軸に直交する横軸周りに回転可能に設けられている。ピボットアームには爪（pawl）が設けられており、ピボットアームと共にその爪が回転するようになっている。爪はピボットアームに対して、第１の爪位置と第２の爪位置との間で摺動可能である。第１の爪位置はピボットアームの回転を妨げるラチェットと爪の自由端とが係合する位置であり、第２の爪位置は爪の自由端がラチェットから外れる位置である。爪は第１の爪位置に付勢されている。
【０００８】
前述の概要、ならびに本発明の好ましい実施形態の以下の詳細な説明は、添付の図面と併せて読めばよりよく理解されるであろう。本発明を説明する目的のため、図面は好ましい実施の形態を示している。しかしながら、本発明は、以下に示される詳細な構成および手段に限定されないことを理解されたい。
【図面の簡単な説明】
【０００９】
【図１】図１は、本発明に係る回転可能なハンドルの第１の好ましい実施形態を表す正面斜視立面図である。
【図２】図２は、図１に示した回転可能なハンドルの分解斜視正面立面図である。
【図３】図３は、図１に示した回転可能なハンドルのクラッチ部分の一部を拡大した、斜視的な正面断面図である。
【図４】図４は、図１に示した回転可能なハンドルの断面を正面から眺めた図である。
【発明を実施するための形態】
【００１０】
以下、本発明の実施形態を詳細に参照する。本発明の実施の形態の例を添付図面に示す。本明細書における本発明の説明に使用される用語は、特定の実施形態のみを説明するためのものであり、本発明を限定するものではない。
【００１１】
単数形「１つの（a）」、「１つの（an）」および「その（the）」は、文脈上他に明示しない限り、複数形も含むことが意図されている。本明細書で用いられる用語「および/または（and/or）」は、列挙された関連項目の１以上の可能な任意の組み合わせおよび全ての組み合わせを包含する意味である。本明細書で使用される場合、「含む」および/または「備える」という単語は、記載された特徴、整数、ステップ、操作、要素、および/または構成要素の存在を特定するものであるが、１以上の他の特徴、整数、ステップ、動作、要素、構成要素、および/またはそれらのグループの存在または追加を排除するものではない。
【００１２】
「右（right）」、「左（left）」、「下方（lower）」および「上方（upper）」という用語は、以下参照される各図に示された方向を意味する。「内側に（inwardly）」および「外側に（outwardly）」という用語は、それぞれ、回転可能なハンドルの幾何学的中心や指定部分に向かう方向および離れる方向を示す。本明細書の用語には、上述の各用語のほか、その派生語や同様の意味の言葉が含まれる。
【００１３】
「第１の」や「第２の」という語は本明細書では様々な要素を記述するために使用されるが、これらの要素はそれらの語に限定されるべきものではない。それらの語は一の要素を他の要素と区別するためのみに用いられる。例えば、第１の端部は第２の端部と呼ぶことができ、同様に、第２の端部は本発明の範囲から逸脱することなく第１の端部と呼ぶことができる。
【００１４】
本明細書で使用される「もし、仮に（if）」という用語は、文脈に応じて「when」、「upon」、「in response to determining」または「in response to detecting」を意味すると解釈され得る。同様に、「決定された場合（if it is determined）」または「所定の状態または事象が検出された場合（if [a stated condition or event] is detected）」というフレーズは、文脈に応じて、「決定時（upon determining）」または「決定に応答する（in response to determining）」または「示された状態または事象を検出すると」を意味すると解釈され得る。
【００１５】
以下の説明は、本発明に係る回転可能なハンドル（以下、回転ハンドルという。）についての様々な実施の形態を示している。
【００１６】
図面を詳細に参照すると、図１〜図４には、本発明に関連する回転ハンドル１０の第１の好ましい実施の形態が示されている。図１〜図４では、同じ参照符号が同様の構成要素を示している。回転ハンドル１０は物体（対象物）に取り付け可能であると共に、使用者の手によって把持可能なものである。好ましくは、その対象物は、ほぼ環状の断面を有すると共に長手方向に延伸された管状物体であるとよい。
【００１７】
回転ハンドル１０は、図示しない対象物に対し取り外し可能で移動可能なフック１４と結合された補助ハンドル１２を有している。補助ハンドル１２は、使用者の手が挿入可能に構成された、手の通路１６を取り囲んでいる。補助ハンドル１２の一部として、カラー１８が一体に形成されている。カラー１８は、それを貫通するように形成されたカラーボア２０を有している。カラーボア２０の内周面２２には、縦方向に伸びるキー溝２４が形成されている。いくつかの実施の形態では、補助ハンドル１２の内側部分のうちカラー１８と反対側に取り付けられる、仕様や規格等に適合した人間工学的なグリップ２６が設けられていることが好ましい。ただし、グリップ２６は必須のものではない。
【００１８】
フック１４は、上端２８と下端３０とを有するものであり、対象物を受け入れるよう調節可能に寸法決めされた物体通路３２を規定している。フック１４の、内側に向いた（または凹状の）面３４は、弧状部分３６と直線部分３８とを含んでいる。いくつかの実施の形態では、１以上の適合フックパッド４０がフック１４の面３４に取り付けられている。シャンク４２がフック１４の上端２８に一体に形成され、上端２８から離れるように延在している。シャンク４２は縦軸Ａ1を有している。シャンク４２の自由端４６にはフランジ４４が一体に形成されている。フランジ４４は、シャンク４２から径方向の外側に広がる、下向きのフランジ面４８を有している。フランジ面４８には、フランジ面４８から突出する複数のフランジ歯５０が設けられている。
【００１９】
クラッチ５２は、シャンク４４を補助ハンドル１２のカラー１８と動作可能に繋ぐものである。シャンク４２は、クラッチ５２が係合位置にあるとき、カラー１８に対して縦軸Ａ1に沿ってのみ相対的に移動可能である。クラッチ５２は、係合位置に付勢されている。
【００２０】
クラッチ５２は、カラー１８に設けられたクラッチリング５４を備えている。クラッチリング５４は、互いに分割される２つの半円筒状片として形成されることが好ましい。しかしながら、いくつかの実施の形態では、クラッチリング５４は１片のモールド構造であってもよい。クラッチリング５４は、クラッチリングボア５６を有している。シャンク４２の一部は、クラッチリングボア５６に収まるようになっている。クラッチリング５４は、キー５８を有している。キー５８は、カラー１８に設けられたキー溝２４に収まるように径方向において外側に突出しており、カラー１８に対するクラッチリング５４の相対的な回転を妨げる。
【００２１】
クラッチリング５４は、クラッチ５２が係合位置にあるときにフランジ面４８に対向しつつ摩擦係合する環状クラッチリング面６０を有する。いくつかの実施の形態では、環状クラッチリング面６０は、必須ではないが、複数のクラッチリング歯６２を有していることが好ましい。クラッチリング歯６２は、クラッチ５２が係合位置にあるときに複数のフランジ歯６２と係合するように延在している。いくつかの実施の形態では、波形ワッシャ６４がクラッチ５２を係合位置に付勢している。
【００２２】
ラチェット６６は、フック１４の上端２８の円弧状の内側に面する表面部分３４上に一体的に形成される。ラチェット６６は複数のラチェット歯６８を有する。
【００２３】
ピボットアーム７０は、フック１４の下端３０に取り付けられている。ピボットアーム７０は、ラチェット６６に向けて延伸され、シャンク１４の縦軸Ａ1と直交する横軸Ａ2の周りに、物体通路３２にアクセス可能な第１の位置Ｐ1から、対象物をその物体通路３２の中に締め付けることが可能な複数の第２の位置Ｐ2のうちの１つに至るまで回転可能になっている。いくつかの実施の形態では、仕様や規格に適合した１以上のピボットアームパッド７２がピボットアーム７０の内面７４に取り付けられている。
【００２４】
ピボットアーム７０には爪７６が回転可能に取り付けられている。爪７６は、ピボットアーム７０に対して平行に、第１の爪位置Ｐ3と第２の爪位置Ｐ4との間で摺動可能に設けられている。第１の爪位置Ｐ3は、爪７６の自由端７８がラチェット６６と係合してピボットアーム７０の回転を妨げる位置である。第２の爪位置Ｐ4は、爪７６の自由端７８がラチェット６６から外れる位置である。爪７６は、付勢部材８２（好ましくはコイルスプリングである）により第１の爪位置Ｐ3に付勢されている。爪７６の自由端７８に設けられた少なくとも１つの爪歯８０が、複数のラチェット歯６８のうちの１つと係合し、ピボットアーム７０の回転を妨げている。その際、爪７６は、第１の爪位置Ｐ3にあり、ピボットアーム７０は第２のピボットアーム位置Ｐ2にある。
【００２５】
回転ハンドル１０を含む上述の構成要素（または部品部分）は、モールド成型や鋳造、または機械加工によって製造することができる。付勢部材（これはばね鋼であることが好ましい）を除き、選択される材質はポリマー材料であるが、場合によってはアルミニウムのような金属を使用することもできる。補助ハンドル１２、フック１４およびピボットアーム７２は、それぞれ、当技術分野で周知の接着剤、ねじ留め具またはスナップ嵌めによって互いに接合される２つの相補部品として形成されることが好ましい。
【００２６】
回転ハンドル１０の使用は、少なくとも部分的に弓形である、および/または全体的に逆さまの「Ｕ」字形であり、概して円形の断面形状を有するキャリアハンドルを有する、ベビーキャリアやベビーバスケットなどのキャリアである対象物に関して以下に開示される。図４を参照すると、使用前における回転ハンドル１０が示されている。ピボットアーム７０は、第２のピボットアーム位置Ｐ2にあり、フック１４の径方向内側に向いた（または凹状の）閉じられた物体通路３２に形成している。爪７６は、ラチェット６６に係合する第１の爪位置Ｐ3にある。
【００２７】
回転ハンドル１０をキャリアのハンドルに取り付ける最初のステップとして、使用者は、爪７６を第1の爪位置Ｐ3から第２の爪位置Ｐ4に並進移動させ、ラチェット６６を外し、ピボットアーム７０を回転させる。第２のステップとして、使用者はピボットアーム７０を、第２のピボットアーム位置Ｐ2から第１のピボットアーム位置Ｐ1に至るまで回転させ、物体通路３２にアクセスすることができるようにする。第２のステップの間、ピボットアーム７０がラチェット６６を一旦クリアーにすると、付勢部材８２の力によって爪７６が第１の爪位置Ｐ3に戻るようになる。第３のステップとして、キャリアハンドルが物体通路３２に配置される。第４のステップとして、ピボットアーム７０を第２のピボットアーム位置Ｐ2まで回転させる。これにより、ピボットアームパッド７２がキャリアハンドルを圧迫するように配置されると共に爪７６がキャリアハンドルを物体通路３２に解放可能に保持するようラチェット６６が再係合するのに十分な角度変位となる。
【００２８】
使用者が、フック１４によって支持されるキャリアおよび（もしあるのであれば）その内容物の重量が伴う補助ハンドル１２を把持し持ち上げるときに、補助ハンドル１２に対するキャリアハンドルの向きが使用者の不快感を引き起こす場合、クラッチ５２は、補助ハンドル１２を握っている使用者の手のひらが人間工学的に自然な位置になるまで、ハンドル１２に対するシャンク４２の回転を可能にするように係合を解除する。クラッチ５２は、シャンク４２のフランジ４４の歯５０がクラッチリング５４の歯６２に係合しなくなるまで、補助ハンドル１２をキャリアハンドルへ向けて下方に押すことにより、望ましい回転がなされ、係合が解除されるようにしてもよい。
【００２９】
その他の用途では、例えば、アスリートが水平の体操用のバーを掴んでいるときにその手のひらの位置が人間工学的に不快であれば、上記のキャリアでの使用と同様の方法で、回転ハンドル１０のフック１４が、補助ハンドル１２がバーから下方に垂下するように、水平バーに取り付けされてもよい。補助ハンドル１２は、上記の議論のように、クラッチ５２が解除されることにより人間工学的に快適な位置になるよう回転可能であってもよい。
【００３０】
本発明の前述の詳細な説明は、特定の実施形態を参照して開示されている。しかしながら、本開示は網羅的であることを意図するものではないし、開示された正確な形態に本発明を限定することを意図するものでもない。当業者であれば、本発明の広範な発明概念から逸脱することなく、上述の実施形態に変更を加えることができることを理解するであろう。したがって、本開示は、したがって、本開示は、添付の特許請求の範囲によって規定される本発明の精神および範囲内の改変をカバーすることが意図されている。
【図１】
2017137194.tif 000003
【図２】
2017137194.tif 000004
【図３】
2017137194.tif 000005
【図４】
2017137194.tif 000006
【外国語明細書】
TITLE OF THE INVENTION
[0001]Rotatable Handle Attachable To An Object Having A Longitudinal Extent
BACKGROUND OF THE INVENTION
[0002]The present invention relates generally to a handle removably attachable to an object and, more particularly, to an object having a generally tubular cross-sectional shape, such as a portion of a handle of a children's car seat or other seat or carrier or alternatively to exercise equipment, such as a portion of a horizontal gymnastic exercise bar.
[0003]Conventional car or other seats or carriers are well known for safely and conveniently transporting a relatively young or small child, such as a baby or infant.  As a child grows, it can be awkward and/or difficult for an adult or other individual to lift or move such a car seat or other seat or carrier by a handle thereof. 
[0004]For example, the orientation of the handle often requires that the palm of the individual carrying the seat must be in a frontward position (toward the direction of movement) or rearward position (opposite the direction of movement).  However, it is not always ergonomically natural for many individuals to carry a relatively heavy weight at their side with their palm in either of these positions.  Instead, it is often more natural for an individual's palm to be positioned inwardly (i.e., approximately ninety degrees from the direction of movement).  Given the length of a typical car seat, it can be difficult to carry the car seat with the individual's palm positioned inwardly because doing so often results in the car seat hitting the individual (such as in the leg).
[0005]U.S. Patent No. 8,671,523 B1 A (Day) discloses a carrier removably attachable to at least a portion of a handle of an object.  The carrier includes a first housing having a handle and a base.  The handle of the first housing is rotatable with respect to the base of the first housing about a first axis.  A second housing is pivotally attached to the base of the first housing by a hinge and is rotatable about a second axis which extends generally perpendicularly to the first axis.  The carrier is pivotable between an open configuration in which at least a portion of the base of the first housing is at least partially separated from the second housing to receive at least a portion of a handle of an object therein and a closed configuration in which at least a portion of the base of the first housing and the second housing combine to surround the handle of the object therebetween.  A fastener positioned on one of the base of the first housing and the second housing generally opposite the hinge permits the base of the first housing to be locked to the second housing in the closed configuration. The load applied by the handle of the object is uniformly distributed between the hinge and the fastener.
[0006]U.S. Patent Application Publication No.  2011/0173778 A1 (Wales) discloses an auxiliary handle for attachment to the shaft on tools or implements. The auxiliary handle has a handle portion, a base portion, and an attachment portion. The handle portion has a body and a grip.  The body is rotatably and slidably disposed in the base portion and may be adjusted into a variety of positions and/or orientations.  The base portion is rotatably connected to the attachment portion which has a first jaw and a second jaw rotatably connected to the first jaw by an adjustable hinge having an adjuster which releasably tightens the inner surface of first jaw and the second jaw around the shaft of a tool.  The space between the inner surfaces of the jaws forms a passageway for receiving the shaft of the tool.  Similar to the Day carrier, the load applied by the shaft of the tool to the Wales auxiliary handle is uniformly distributed between the two jaws and transmitted through the hinge to the auxiliary handle. 
[0007]Accordingly, there is a need in the art for a rotary handle releasably attachable to an object which does not subject a hinge of the handle to the load applied by an object to which the rotary handle is attached.
BRIEF SUMMARY OF THE INVENTION
[0008]Briefly stated, one embodiment of the present invention is directed to a rotatable handle assembly attachable to an object and graspable by a user's hand.  The rotatable handle assembly has an auxiliary handle circumscribing a hand passageway configured to receive the user's hand therein.  A collar is integrally formed as a portion of the auxiliary handle.  A hook having an upper end and a lower end is attachable to the object.  A shank is integrally formed with and extending from the upper end of the hook.  The shank has a longitudinal axis.  A clutch operatively couples the shank to the collar.  The shank is moveable relative to the collar only in translation along the longitudinal axis when the clutch is in an engaged position.  The shank is movable relative to the collar in rotation about the longitudinal axis when the clutch is in a disengaged position.  The clutch is biased in the engaged position.  A ratchet is on the upper end of the hook.  A pivot arm is attached to the lower end of the hook.  The pivot arm extends toward the ratchet and is rotatable about a transverse axis perpendicular to the longitudinal axis of the shank.  A pawl is attached to the pivot arm for rotation therewith.  The pawl is slideable in translation relative to the pivot arm between a first pawl position in which a free end of the pawl engages the ratchet preventing rotation of the pivot arm and a second pawl position in which the free end of the pawl is disengaged from the ratchet.  The pawl is biased in the first pawl position.
BRIEF DESCRIPTION OF THE SEVERAL VIEWS OF THE DRAWINGS
[0009]The foregoing summary, as well as the following detailed description of preferred embodiments of the invention, will be better understood when read in conjunction with the appended drawings.  For the purpose of illustrating the invention, the drawings show embodiments which are presently preferred.  It should be understood, however, that the invention is not limited to the precise arrangements and instrumentalities shown. 
[0010]In the drawings:
[0011]Fig.  1 is a front perspective elevation view of a first preferred embodiment of the rotatable handle in accordance with the present invention;
[0012]Fig.  2 is an exploded front perspective elevation view for the rotatable handle of Fig.1;
[0013]Fig.  3 is an enlarged front cross sectional view, partially in perspective, of the clutch portion of the rotatable handle of Fig.1; and
[0014]Fig.  4 is a front elevation view in cross section of the rotatable handle of Fig. 1.
DETAILED DESCRIPTION OF THE INVENTION
[0015]Reference will now be made in detail to embodiments of the invention, examples of which are illustrated in the accompanying drawings.  The terminology used in the description of the invention herein is for the purpose of describing particular embodiments only and is not intended to be limiting of the invention.
[0016]As used in the description of the invention and the appended claims, the singular forms "a", "an" and "the" are intended to include the plural forms as well, unless the context clearly indicates otherwise.  The words "and/or" as used herein refers to and encompasses any and all possible combinations of one or more of the associated listed items. The words "comprises" and/or "comprising," when used in this specification, specify the presence of stated features, integers, steps, operations, elements, and/or components, but do not preclude the presence or addition of one or more other features, integers, steps, operations, elements, components, and/or groups thereof.
[0017]The words "right," "left," "lower" and "upper" designate directions in the drawings to which reference is made.  The words "inwardly" and "outwardly" refer to directions toward and away from, respectively, the geometric center of the rotatable handle, and designated parts thereof.  The terminology includes the words noted above, derivatives thereof and words of similar import. 
[0018]Although the words first, second, etc., are used herein to describe various elements, these elements should not be limited by these words. These words are only used to distinguish one element from another. For example, a first end be could be termed a second end, and, similarly, a second end could be termed a first end, without departing from the scope of the present invention.
[0019]As used herein, the words "if" may be construed to mean "when" or "upon" or "in response to determining" or "in response to detecting," depending on the context. Similarly, the phrase "if it is determined" or "if [a stated condition or event] is detected" may be construed to mean "upon determining" or "in response to determining" or "upon detecting [the stated condition or event]" or "in response to detecting [the stated condition or event]," depending on the context.
[0020]The following description is directed towards various embodiments of a rotatable handle in accordance with the present invention. 
[0021]Referring to the drawings in detail, where like numerals indicate like elements throughout, there is shown in Figs. 1-4 a first preferred embodiment of the rotatable handle, generally designated 10, and hereinafter referred to as the "rotatable handle" 10 in accordance with the present invention.  The rotatable handle 10 is attachable to an object and graspable by a user's hand.  Preferably the object is a tubular object having a generally circular cross section and a longitudinal extent. 
[0022]The rotatable handle 10 has an auxiliary handle 12 coupled to a hook 14 removably attachable to the object (not shown).  The auxiliary handle 12 circumscribes a hand passageway 16 configured to receive a user's hand therein.  A collar 18 is integrally formed as a portion of the auxiliary handle 12.  The collar 18 has a collar bore 20 therethrough.  The radially inwardly facing surface 22 of the collar bore 20 has a longitudinally extending keyway 24 therein.  In some embodiments, a compliant ergonomic grip 26 is preferably, but not necessarily, attached to an inner portion of the auxiliary handle 12 opposite the collar 18.
[0023]The hook 14 has an upper end 28 and a lower end 30 and defines an object passageway 32 adjustably sized to receive the object.  The inwardly facing (or concave) surface 34 of the hook 14 has an arcuate portion 36 and a straight portion 38.  In some embodiments, one or more compliant hook pads 40 are attached to the inwardly facing surface 34 of the hook 14.  A shank 42 is integrally formed with and extends from the upper end 28 of the hook 14.  The shank 42 has a longitudinal axis A1.  A flange 44 is integrally formed with the free end 46 of the shank 42 and has a downwardly facing flange surface 48 extending radially outwardly from the shank 42.  The flange surface 48 has a plurality of flange teeth 50 extending therefrom.
[0024]A clutch 52 operatively couples the shank 44 to the collar  portion 18 of the handle 12.  The shank 42 is moveable only in translation along the longitudinal axis A1 relative to the collar 18 when the clutch 52 is in an engaged position.  The shank 42 is movable in rotation about the longitudinal axis A1 relative to the collar 18 when the clutch 52 is in a disengaged position.  The clutch 52 is biased in the engaged position.
[0025]The clutch 52 comprises a clutch ring 54 disposed in the collar 18.  Preferably, the clutch ring 54 is formed as two semi-cylindrical pieces that snap together.  However, in some embodiments, the clutch ring 54 may be a one-piece molded construction.  The clutch ring 54 has a clutch-ring bore 56 within which a portion of the shank 42 is disposed.  The clutch ring 54 has a key 58 extending radially outwardly into the keyway 24 of the collar 18 preventing rotation of the clutch ring 54 relative to the collar 18.
[0026]The clutch ring 54 has an annular clutch-ring surface 60 opposing and frictionally engaging the flange surface 48 when the clutch 52 is in the engaged position.  In some embodiments, the clutch-ring surface 60 preferably, but not necessarily, has a plurality of clutch-ring teeth 62 extending therefrom and engaged with the plurality of flange teeth 62 when the clutch 52 is in the engaged position.  In some embodiments, a wave washer 64 biases the clutch 52 in the engaged position.
[0027]A ratchet 66 is integrally formed on the arcuate, inwardly facing surface portion 34 of the upper end 28 of the hook 14.  The ratchet 66 has a plurality of ratchet teeth 68.
[0028]A pivot arm 70 is attached to the lower end 30 of the hook 14.  The pivot arm 70 extends toward the ratchet 66 and is rotatable about a transverse axis A2 perpendicular to the longitudinal axis A1 of the shank 14 from a first position P1 allowing access to the object passageway 32 to one of a plurality of second positions P2 adjusting the size of the object passageway 32 to secure the object therein.  In some embodiments, one or more compliant pivot arm pads 72 are attached to the inner surface 74 of the pivot arm 70.
[0029]A pawl 76 is attached to the pivot arm 70 for rotation therewith.  The pawl 76 is slideable in translation relative to the pivot arm 70 between a first pawl position P3 in which a free end 78 of the pawl 76 engages the ratchet 66 preventing rotation of the pivot arm 70 and a second pawl position P4 in which the free end 78 of the pawl 76 is disengaged from the ratchet 66.  The pawl 76 is biased in the first pawl position P3, by a biasing member 82 which preferably is a coil spring.  At least one pawl tooth 80 on the free end 78 of the pawl 76 engages one ratchet tooth of the plurality of ratchet teeth 68 preventing rotation of the pivot arm 70 when the pawl 76 is in the first pawl position P3 and the pivot arm 70 is in the second pivot arm position P2.
[0030]The foregoing components (or piece parts) comprising the rotatable handle 10 may be fabricated by molding, casting, or machining.  With the exception of the biasing elements which are preferably spring steel, the fabrication material of choice is a polymeric material, although, in some instances, a metal such as aluminum may be used.  The auxiliary handle 12, hook 14, and pivot arm 72 are each preferably formed as two complementary pieces that are joined together by an adhesive, threaded fasteners or a snap fit manner well known in the art.
[0031]The use of the rotatable handle 10 is hereafter disclosed with respect to an object that is a carrier, such as a baby carrier or basket, having a carrier handle which is at least partially arcuate and/or in the shape of a generally inverted "U" and which has a generally circular cross-sectional shape.  Referring to Fig. 4, prior to use, the rotatable handle 10 is in the configuration shown therein.  The pivot arm 70 is in the second pivot arm position P2 forming with the radially inwardly facing (or concave) surface of the hook 14 the closed object passageway 32 and the pawl 76 is in the first pawl position P3 engaging the ratchet 66. 
[0032]As a first step in attaching the rotatable handle 10 to the handle of the carrier, the user moves the pawl 76 in translation from the first pawl position P3 to the second pawl position P4, disengaging the ratchet 66 and allowing the pivot arm 70 to move in rotation.  As a second step, the user rotates the pivot arm 70 from the second pivot arm position P2 to the first pivot arm position P1, providing access to the object passageway 32.  During the second step, once the pivot arm 70 clears the ratchet 66, the pawl 76 may return to the first pawl position P3, under the force of the pawl biasing member 82.  As a third step, the carrier handle is placed in the object passageway 32.  As a fourth step, the pivot arm 70 is rotated to the second pivot arm position P2 through an angular displacement sufficient to place the pivot arm pad 72 in compression against the carrier handle and to have the pawl 76 re-engage the ratchet 66 releasably retaining the carrier handle in the object passageway 32. 
[0033]If the orientation of the carrier handle relative to the auxiliary handle 12 causes the user discomfort when the user grasps and lifts the auxiliary handle 12 with the weight of the carrier and its contents, if any, supported by the hook 14, the clutch 52 may be disengaged to allow rotation of the shank 42 relative to the handle 12 until the palm of the user's hand grasping the auxiliary handle 12 is in an ergonomically natural position.  The clutch 52 may be disengaged allowing the desired rotation by pressing the auxiliary handle 12 downwardly toward the carrier handle, until the teeth 50 on the flange 44 of the shank 42 no longer engage the teeth 62 on the clutch ring 54.
[0034]In an alternative use, for example, if the position of an athlete's palm grasping a horizontal gymnastic exercise bar is ergonomically uncomfortable, the hook 14 of the rotational handle 10 may be attached to the horizontal bar in a manner similar to the steps described above for use with a carrier such that the auxiliary handle 12 suspended downwardly from the bar.  The auxiliary handle 12 may be rotated to an ergonomically comfortable position by disengaging the clutch 52 as discussed above.
[0035]The foregoing detailed description of the invention has been disclosed with reference to specific embodiments. However, the disclosure is not intended to be exhaustive or to limit the invention to the precise forms disclosed.  Those skilled in the art will appreciate that changes could be made to the embodiments described above without departing from the broad inventive concept thereof.  Therefore, the disclosure is intended to cover modifications within the spirit and scope of the present invention as defined by the appended claims.
1.A rotatable handle assembly attachable to an object and graspable by a user's hand, the rotatable handle assembly comprising:
an auxiliary handle circumscribing a hand passageway configured to receive the user's hand therein; 
a collar integrally formed as a portion of the auxiliary handle;
a hook having an upper end and a lower end, the hook attachable to the object;
a shank integrally formed with and extending from the upper end of the hook, the shank having a longitudinal axis;
a clutch operatively coupling the shank to the collar, the shank moveable relative to the collar only in translation along the longitudinal axis when the clutch is in an engaged position; the shank movable relative to the collar in rotation about the longitudinal axis when the clutch is in a disengaged position, the clutch biased in the engaged position; and
a ratchet on the upper end of the hook;
a pivot arm attached to the lower end of the hook, the pivot arm extending toward the ratchet and rotatable about a transverse axis perpendicular to the longitudinal axis of the shank; and
a pawl attached to the pivot arm for rotation therewith, the pawl slideable in translation relative to the pivot arm between a first pawl position in which a free end of the pawl engages the ratchet preventing rotation of the pivot arm and a second pawl position in which the free end of the pawl is disengaged from the ratchet, the pawl biased in the first pawl position.
2.The rotatable handle assembly of claim 1, wherein the clutch comprises a clutch ring disposed in the collar, the clutch ring having a clutch-ring bore within which a portion of the shank is disposed.
3.The rotatable handle assembly of claim 2, wherein the collar has a collar bore therethrough, the collar bore having a longitudinally extending keyway therein and the clutch ring has a key extending radially outwardly into the keyway preventing rotation of the clutch ring relative to the collar.
4.The rotatable handle assembly of claim 2, wherein a flange is integrally formed with the free end of the shank and has a flange surface extending radially outwardly from the shank and the clutch ring has an annular clutch-ring surface opposing and frictionally engaging the flange surface when the clutch is in the engaged position.
5.The rotatable handle assembly of claim 1, wherein:
the collar has a collar bore therethrough, the collar bore having a longitudinally extending keyway therein;
the clutch ring is disposed in the collar and has a key extending radially outwardly into the keyway of the collar bore preventing rotation of the clutch ring relative to the collar, an annular clutch-ring surface and a clutch-ring bore within which a portion of the shank is disposed, and
a flange is integrally formed with the free end of the shank and has a flange surface extending radially outwardly from the shank, the flange surface opposing and frictionally engaging the annular clutch-ring surface when the clutch is in the engaged position.
6.The rotatable handle assembly of claim 5, wherein the flange surface has a plurality of flange teeth extending therefrom and the clutch-ring surface has a plurality of clutch-ring teeth extending therefrom and engaged with the plurality of flange teeth when the clutch is in the engaged position.
7.The rotatable handle assembly of claim 1, wherein a wave washer biases the clutch in the engaged position.
8.The rotatable handle assembly of claim 1, wherein the cross sectional area
of an object passageway defined by the hook and the pivot arm is adjustable.
9.The rotatable handle assembly of claim 1, wherein the inner surface of the hook has an arcuate portion and a straight portion.
10.The rotatable handle assembly of claim 1, wherein the upper end of the hook has an arcuate, internal surface portion and the ratchet is integrally formed thereon by a plurality of ratchet teeth.
11.   The rotatable handle assembly of claim 10, wherein at least one pawl tooth on a free end of the pawl engages one ratchet tooth of the plurality of ratchet teeth preventing rotation of the pivot arm.
12.   The rotatable handle assembly of claim 1, wherein one or more compliant pads is attached to the inner surface of the hook or pivot arm.
13.   The rotatable handle assembly of claim 1, wherein a compliant ergonomic grip is attached to an inner portion of the handle opposite the collar.                                                                            
１．Abstract
A rotatable handle assembly attachable to a generally tubular object has an auxiliary handle circumscribing a hand passageway configured to receive a user's hand therein.  A clutch biased in an engaged position operatively couples a shank extending from the upper end of a hook attachable to the object to a collar integrally formed as a portion of the auxiliary handle and releasably prevents the shank from rotating relative to the collar.  A ratchet on the upper end of the hook cooperates with a pawl on a pivot arm which is attached to the lower end of the hook and which extends toward the ratchet and is rotatable about a transverse axis perpendicular to the longitudinal axis of the shank to adjust the size of the object passageway receiving and releasably retaining the object therein. 
２．Representative Drawing
Fig.1
【図１】
2017137194.tif 000007
【図２】
2017137194.tif 000008
【図３】
2017137194.tif 000009
【図４】
2017137194.tif 000010